(57)【要約】  モバイル端末機及びその製造方法が開示される。本発明のモバイル端末機は、音声信号を受信するレシーバーと、レシーバーを収容するレシーバー収容部を備えるレシーバーＬＥＤレンズ兼用ブラケットと、レシーバーＬＥＤレンズ兼用ブラケットと共に二重射出成形方法で設けられて、レシーバーＬＥＤレンズ兼用ブラケットと一体に結合されるＬＥＤレンズと、ブラケット収容部を備えて、レシーバーＬＥＤレンズ兼用ブラケットを収容する前面ケースと、を含むことを特徴とする。本発明によれば、工程を単純化して、工程効率を高め、工程損失を減少させ、組み立てと分解とが容易であって、製作と補修とに効率的であり、防水機能に優れたモバイル端末機及びその製造方法が提供される。
2013541879.tif 000002
【特許請求の範囲】
【請求項１】
音声信号を受信するレシーバーと、
ＬＥＤの光を透過させるＬＥＤレンズと、
前記レシーバーと前記ＬＥＤレンズとを共に支持するレシーバーＬＥＤレンズ兼用ブラケットと、
ブラケット収容部を備えて、前記レシーバーＬＥＤレンズ兼用ブラケットを収容する前面ケースと、
を含むことを特徴とするモバイル端末機。
【請求項２】
前記ＬＥＤレンズと前記レシーバーＬＥＤレンズ兼用ブラケットは、二重射出成形によって一体成形されることを特徴とする請求項１に記載のモバイル端末機。
【請求項３】
前記レシーバーＬＥＤレンズ兼用ブラケットは、
前記レシーバーと前記ＬＥＤレンズとを支持するブラケット本体部と、
前記ブラケット本体部に設けられて、前記レシーバーを収容するレシーバー収容部と、
前記ブラケット本体部に設けられて、レシーバーデコを収容するデコ収容部と、
を含むことを特徴とする請求項１に記載のモバイル端末機。
【請求項４】
前記レシーバーＬＥＤレンズ兼用ブラケットは、
前記レシーバー収容部の両側部に隣接した前記ブラケット本体部には、前記ＬＥＤレンズが結合されるレンズ貫通口が形成されていることを特徴とする請求項３に記載のモバイル端末機。
【請求項５】
前記ＬＥＤレンズは、
テーパー状の四角柱状を有する少なくとも１つの貫通部と、
モバイル端末機の前面にＬＥＤの光を表示する前面表示部と、
前記貫通部を連結する連結部と、
を含むことを特徴とする請求項４に記載のモバイル端末機。
【請求項６】
前記ＬＥＤレンズの前記貫通部が、前記レンズ貫通口に挿入された状態で、前記ＬＥＤレンズと前記レシーバーＬＥＤレンズ兼用ブラケットとが二重射出成形によって一体成形されることを特徴とする請求項５に記載のモバイル端末機。
【請求項７】
前記ブラケット本体部には、前記レシーバー収容部と前記デコ収容部とを貫通するレシーバー貫通口が形成されることを特徴とする請求項３に記載のモバイル端末機。
【請求項８】
前記ブラケット収容部の前記レシーバーＬＥＤレンズ兼用ブラケットが収容される隣接部位に設けられる防水部材をさらに含むことを特徴とする請求項３に記載のモバイル端末機。
【請求項９】
前記防水部材は、防水用シリコンからなることを特徴とする請求項８に記載のモバイル端末機。
【請求項１０】
前記レシーバーが、前記レシーバー収容部に収容される時、前記レシーバーと前記レシーバー収容部との間に介在されるフェルトをさらに含むことを特徴とする請求項３に記載のモバイル端末機。
【請求項１１】
前記フェルトは、防水用材からなることを特徴とする請求項１０に記載のモバイル端末機。
【請求項１２】
前記レシーバーデコは、
半円筒状に設けられ、表面に多数の小孔が形成されるデコ部と、
前記デコ部の両端部から平板状に延び、前記レシーバーＬＥＤレンズ兼用ブラケットに結合される羽根部と、
を含むことを特徴とする請求項３に記載のモバイル端末機。
【請求項１３】
前記前面ケースは、前記ブラケット収容部の一部の領域上に板面を貫通して前面貫通口が形成されることを特徴とする請求項１に記載のモバイル端末機。
【請求項１４】
ブラケット収容部を備える前面ケースを設ける段階と、
音声信号を受信するレシーバーとＬＥＤの光を透過させるＬＥＤレンズとを共に支持するレシーバーＬＥＤレンズ兼用ブラケットに前記ＬＥＤレンズを結合させる段階と、
前記レシーバーＬＥＤレンズ兼用ブラケットの前記レシーバー収容部にレシーバーを結合させる段階と、
前記レシーバーＬＥＤレンズ兼用ブラケットの前記デコ収容部にレシーバーデコを結合させる段階と、
前記レシーバーＬＥＤレンズ兼用ブラケットを前記前面ケースの前記ブラケット収容部に結合させる段階と、
前記ブラケット収容部の前記レシーバーＬＥＤレンズ兼用ブラケットが収容される隣接部位に防水部材をシーリングする段階と、
を含むことを特徴とするモバイル端末機の製造方法。
【請求項１５】
前記ＬＥＤレンズを結合させる段階は、
前記レシーバーＬＥＤレンズ兼用ブラケットと前記ＬＥＤレンズとを二重射出成形によって一体に結合させることを特徴とする請求項１４に記載のモバイル端末機の製造方法。
【請求項１６】
前記ＬＥＤレンズを結合させる段階後で、
前記レシーバー収容部にフェルトを結合させる段階をさらに含むことを特徴とする請求項１４に記載のモバイル端末機の製造方法。
【請求項１７】
前記防水部材をシーリングする段階は、
防水用シリコンを前記ブラケット収容部の前記レシーバーＬＥＤレンズ兼用ブラケットが収容される隣接部位にシーリングして、前記レシーバーＬＥＤレンズ兼用ブラケットと前記前面ケースとを結合させることを特徴とする請求項１４に記載のモバイル端末機の製造方法。
【発明の詳細な説明】
【技術分野】
【０００１】
本発明は、モバイル端末機に係り、より詳細には、製作及び組み立てが容易であり、防水能に優れるレシーバー構造を備えたモバイル端末機及びその製造方法に関する。
【背景技術】
【０００２】
モバイル端末機（Ｍｏｂｉｌｅ  Ｔｅｒｍｉｎａｌ）は、場所に関係なく、移動しながら自在に使える端末機であって、携帯電話のような移動通信端末機、そして、個人携帯端末機と呼ばれるＰＤＡ（Ｐｅｒｓｏｎａｌ  Ｄｉｇｉｔａｌ  Ａｓｓｉｓｔａｎｔ）などが代表的である。したがって、ここで使われる‘モバイル端末機’という用語は、これらをいずれも含む用語であるが、以下、説明の便宜上、ＰＤＡに限定して説明する。
【０００３】
ＰＤＡは、ポケット用コンピュータとも呼ばれるが、個人用や業務用として計算や情報保存及び検索機能を備えた手の平サイズの小型装置を総称する用語であって、度々スケジュールカレンダー及び住所録の情報などの保持に多く使われる。
【０００４】
特に、現在、物流産業を中心に産業用個人携帯端末機（ＰＤＡ）が多く使われており、その市場が次第に拡大しつつある実情である。産業用ＰＤＡは、一般ＰＤＡにはないバーコードスキャナー、カード決済機など多様な事務用機能を備えたＰＤＡであって、産業用ＰＤＡを使えば、配送や資料管理、そして、関連業務などを効率的に進行させうる長所がある。例えば、保険会社においては、顧客情報管理、顧客検索、日程管理、相談日誌管理、記念日検索、資金計算書の処理などの各種の保険関連業務を保険設計士が産業用ＰＤＡを用いて現場で直接処理し、次いで、病院においては、患者の診療記録と病歴、処方はもとより、Ｘ線などの映像イメージとグラフィック資料までも時間と場所との制限なしに、医療陣が携帯した産業用ＰＤＡに入力するか、検索し、また、警察の業務においては、交通、防犯警察の外勤取締業務を産業用ＰＤＡを通じて実施して、現在取り締まり後、２〜３日が経ると納めることができる交通法規違反の反則金を直ちに金融機関に納めることができるようにして、交通、防犯警察の外勤取締業務時間を画期的に短縮させうる。
【０００５】
産業用ＰＤＡは、前述した多様な産業分野で使われていることでも分かるように、一般ＰＤＡと異なって、一般的な環境ではない産業用環境で耐えることができる一定レベル以上の要求事項を備えなければならない。すなわち、産業用ＰＤＡは、一般ＰＤＡと異なって、零下１０℃以下の冷凍倉庫で使う時もあり、また野外でも長期間使われうるということは当然予測され、集配人のようなユーザが業務上むやみに扱うこともできるために、一定レベル以上の耐衝撃性、防水、耐熱／冷機能などを備えると製品として競争力を有するようになる。このように、産業用ＰＤＡは、一般ＰＤＡよりさらに堅固かつ堅く作られなければならないことはもとより、特に、雪や雨に耐えるように防水機能を有していなければならないことは、製品が有さなければならない必須的な事項である。
【０００６】
このような産業用ＰＤＡの防水機能において、構造上防水に脆弱であり、重要な部分の１つがモバイル端末機受話部のレシーバー構造である。従来のモバイル端末機中では、レシーバー構造において、レシーバーＬＥＤレンズ兼用ブラケットとＬＥＤレンズとを別途に製作して結合することによって、防水機能において、脆弱点を有していて、また、製作及び組み立てが容易ではない問題点も有している。
【０００７】
したがって、ＰＤＡ生産において、製作及び組み立てが容易であり、防水能に優れるレシーバー構造の開発が必要である。
【発明の概要】
【発明が解決しようとする課題】
【０００８】
本発明の目的は、工程を単純化して、工程効率を高め、工程損失を減少させ、組み立てと分解とが容易であって、製作と補修とに効率的であり、防水機能に優れたモバイル端末機及びその製造方法を提供することである。
【課題を解決するための手段】
【０００９】
前記の目的は、本発明によって、音声信号を受信するレシーバーと、ＬＥＤの光を透過させるＬＥＤレンズと、前記レシーバーと前記ＬＥＤレンズとを共に支持するレシーバーＬＥＤレンズ兼用ブラケットと、ブラケット収容部を備えて、前記レシーバーＬＥＤレンズ兼用ブラケットを収容する前面ケースと、を含むことを特徴とするモバイル端末機によって達成される。
【００１０】
前記ＬＥＤレンズと前記レシーバーＬＥＤレンズ兼用ブラケットは、二重射出成形によって一体成形されうる。
【００１１】
前記レシーバーＬＥＤレンズ兼用ブラケットは、前記レシーバーと前記ＬＥＤレンズとを支持するブラケット本体部と、前記ブラケット本体部に設けられて、前記レシーバーを収容するレシーバー収容部と、前記ブラケット本体部に設けられて、レシーバーデコを収容するデコ収容部と、を含みうる。
【００１２】
前記レシーバーＬＥＤレンズ兼用ブラケットは、前記レシーバー収容部の両側部に隣接した前記ブラケット本体部には、前記ＬＥＤレンズが結合されるレンズ貫通口が形成されうる。
【００１３】
前記ＬＥＤレンズは、テーパー状の四角柱状を有する少なくとも１つの貫通部と、モバイル端末機の前面にＬＥＤの光を表示する前面表示部と、前記貫通部を連結する連結部と、を含みうる。
【００１４】
前記ＬＥＤレンズの前記貫通部が、前記レンズ貫通口に挿入された状態で、前記ＬＥＤレンズと前記レシーバーＬＥＤレンズ兼用ブラケットとが二重射出成形によって一体成形されうる。
【００１５】
前記ブラケット本体部には、前記レシーバー収容部と前記デコ収容部とを貫通するレシーバー貫通口が形成されうる。
【００１６】
前記モバイル端末機は、前記ブラケット収容部の前記レシーバーＬＥＤレンズ兼用ブラケットが収容される隣接部位に設けられる防水部材をさらに含みうる。
【００１７】
前記防水部材は、防水用シリコンからなる。
【００１８】
前記モバイル端末機は、前記レシーバーが前記レシーバー収容部に収容される時、前記レシーバーと前記レシーバー収容部との間に介在されるフェルトをさらに含みうる。
【００１９】
前記フェルトは、防水用材からなる。
【００２０】
前記レシーバーデコは、半円筒状に設けられ、表面に多数の小孔が形成されるデコ部と、前記デコ部の両端部から平板状に延び、前記レシーバーＬＥＤレンズ兼用ブラケットに結合される羽根部と、を含みうる。
【００２１】
前記前面ケースは、前記ブラケット収容部の一部の領域上に板面を貫通して前面貫通口が形成されうる。
【００２２】
前記の目的は、本発明によって、ブラケット収容部を備える前面ケースを設ける段階と、音声信号を受信するレシーバーとＬＥＤの光を透過させるＬＥＤレンズとを共に支持するレシーバーＬＥＤレンズ兼用ブラケットに前記ＬＥＤレンズを結合させる段階と、前記レシーバーＬＥＤレンズ兼用ブラケットの前記レシーバー収容部にレシーバーを結合させる段階と、前記レシーバーＬＥＤレンズ兼用ブラケットの前記デコ収容部にレシーバーデコを結合させる段階と、前記レシーバーＬＥＤレンズ兼用ブラケットを前記前面ケースの前記ブラケット収容部に結合させる段階と、前記ブラケット収容部の前記レシーバーＬＥＤレンズ兼用ブラケットが収容される隣接部位に防水部材をシーリングする段階と、を含むことを特徴とするモバイル端末機の製造方法によっても達成される。
【００２３】
前記ＬＥＤレンズを結合させる段階は、前記レシーバーＬＥＤレンズ兼用ブラケットと前記ＬＥＤレンズとを二重射出成形によって一体に結合させることができる。
【００２４】
前記モバイル端末機の製造方法は、前記ＬＥＤレンズを結合させる段階後で、前記レシーバー収容部にフェルトを結合させる段階をさらに含みうる。
【００２５】
前記防水部材をシーリングする段階は、防水用シリコンを前記ブラケット収容部の前記レシーバーＬＥＤレンズ兼用ブラケットが収容される隣接部位にシーリングして、前記レシーバーＬＥＤレンズ兼用ブラケットと前記前面ケースとを結合させることができる。
【発明の効果】
【００２６】
本発明によれば、工程を単純化して、工程効率を高め、工程損失を減少させ、組み立てと分解とが容易であって、製作と補修とに効率的であり、防水機能に優れたモバイル端末機及びその製造方法が提供される。
【図面の簡単な説明】
【００２７】
【図１】本発明の一実施形態によるモバイル端末機のレシーバー構造の分解斜視図である。
【図２】図１のレシーバーＬＥＤレンズ兼用ブラケットとＬＥＤレンズとの結合関係を示す斜視図である。
【図３】図２の角度を異ならせた斜視図である。
【図４】図１の組み立て状態を示す斜視図である。
【図５】図４の断面を示す断面斜視図である。
【図６】図４の防水用シリコンがシーリングされた状態の斜視図である。
【図７】図１のモバイル端末機のレシーバーＬＥＤレンズ兼用ブラケット部位を切断した断面斜視図である。
【図８】図７の側面拡大断面斜視図である。
【図９】図７の前面ケースを除去した斜視図である。
【図１０】本発明の一実施形態によるモバイル端末機の製造方法のフローチャートである。
【発明を実施するための形態】
【００２８】
本発明と本発明の動作上の利点及び本発明の実施によって達成される目的を十分に理解するためには、本発明の望ましい実施形態を例示する添付図面及び添付図面に記載の内容を参照しなければならない。
【００２９】
以下、添付図面を参照して、本発明の望ましい実施形態を説明することによって、本発明を詳しく説明する。各図面に付された同じ参照符号は、同じ部材を表わす。
【００３０】
図１は、本発明の一実施形態によるモバイル端末機のレシーバー構造の分解斜視図であり、図２は、図１のレシーバーＬＥＤレンズ兼用ブラケットとＬＥＤレンズとの結合関係を示す斜視図であり、図３は、図２の角度を異ならせた斜視図であり、図４は、図１の組み立て状態を示す斜視図であり、図５は、図４の断面を示す断面斜視図であり、図６は、図４の防水用シリコンがシーリングされた状態の斜視図であり、図７は、図１のモバイル端末機のレシーバーＬＥＤレンズ兼用ブラケット部位を切断した断面斜視図であり、図８は、図７の側面拡大断面斜視図であり、図９は、図７の前面ケースを除去した斜視図である。
【００３１】
これら図面に示したように、本発明の一実施形態によるモバイル端末機１は、音声信号を受信するレシーバー１００と、レシーバー１００を収容するレシーバー収容部２１０を備えるレシーバーＬＥＤレンズ兼用ブラケット２００と、レシーバーＬＥＤレンズ兼用ブラケット２００と共に二重射出成形によって、レシーバーＬＥＤレンズ兼用ブラケット２００と一体に結合されるＬＥＤレンズ３００と、ブラケット収容部４１０を備えて、レシーバーＬＥＤレンズ兼用ブラケット２００を収容する前面ケース４００と、ブラケット収容部４１０のレシーバーＬＥＤレンズ兼用ブラケット２００が収容される隣接部位に設けられる防水部材５００（図６参照）と、レシーバー１００がレシーバー収容部２１０に収容される時、レシーバー１００とレシーバー収容部２１０との間に介在されるフェルト６００と、一端部がレシーバーＬＥＤレンズ兼用ブラケット２００に結合され、他端部は前面ケース４００に結合されるレシーバーデコ７００とを含む。
【００３２】
レシーバー１００は、音声信号を受信する部分であって、電気信号を入力されて音信号に出力する。レシーバー１００は、レシーバーＬＥＤレンズ兼用ブラケット２００に設けられるレシーバー収容部２１０に効果的に密着されるように、四角状に設けられ、背面に電気信号を入力される電線端子が設けられる。しかし、本発明の権利範囲が、これに限定されず、レシーバー１００の形状は、必要に応じて変更することができる。
【００３３】
レシーバーＬＥＤレンズ兼用ブラケット２００は、図２及び図３に詳しく示したように、レシーバー１００とＬＥＤレンズ３００とを支持するブラケット本体部２０１と、ブラケット本体部２０１に設けられて、レシーバー１００を収容するレシーバー収容部２１０と、ブラケット本体部２０１に設けられて、レシーバーデコ７００を収容するデコ収容部２２０とを含む。
【００３４】
これにより、レシーバーＬＥＤレンズ兼用ブラケット２００は、レシーバー１００とレシーバーデコ７００とを安定して支持し、レシーバー１００及びレシーバーデコ７００を簡単に組み立てることができ、レシーバー１００またはレシーバーデコ７００が、故障または破損された場合、交換や修理を容易にする構造を形成する。レシーバー収容部２１０とデコ収容部２２０との間の板面には、一部の領域を貫通してレシーバー貫通口２４０が形成されている。レシーバー貫通口２４０は、レシーバー１００から出力される音信号をユーザに伝達させるために形成され、レシーバー１００とレシーバーＬＥＤレンズ兼用ブラケット２００のレシーバー収容部２１０との間には、防水が可能な特殊製作されたフェルト６００を介在して、レシーバー貫通口２４０を通じて水分や異物がレシーバー１００の内側への侵透を防止する。
【００３５】
本実施形態で、レシーバーＬＥＤレンズ兼用ブラケット２００は、レシーバー１００とＬＥＤレンズ３００とを共に支持するように構成されていて、１つのブラケットで２つの構成要素を同時に支持することができる。したがって、構造が単純化されて、組み立て及び製作が容易であり、構成要素が多く結合される構造に比べて、外部の異物や水分の浸透を防止することができる効果がある。
【００３６】
レシーバーＬＥＤレンズ兼用ブラケット２００の両側面には、ＬＥＤレンズ３００が結合するレンズ貫通口２３０が形成されて、ＬＥＤレンズ３００が結合される、後述するが、レシーバーＬＥＤレンズ兼用ブラケット２００とＬＥＤレンズ３００は、二重射出成形方法で製作されるので、レシーバーＬＥＤレンズ兼用ブラケット２００とＬＥＤレンズ３００は、１つの工程によって一体成形される。
【００３７】
ＬＥＤレンズ３００は、テーパー状の四角柱状を有する２つの貫通部３１０と、モバイル端末機１の前面にＬＥＤ１０（図８参照）の光を表示する前面表示部３２０と、２つの貫通部３１０を連結する連結部３３０とを含む。
【００３８】
ＬＥＤレンズ３００の貫通部３１０は、レシーバーＬＥＤレンズ兼用ブラケット２００のレンズ貫通口２３０に結合され、ＬＥＤ１０から出る光を前面表示部３２０に伝達する。すなわち、ＬＥＤレンズ３００の貫通部３１０の末端にＬＥＤ１０が隣接して配され、ＬＥＤ１０から光が発光すれば、貫通部３１０を通じて光が前面表示部３２０に伝達され、前面表示部３２０を通じてユーザがＬＥＤ１０の光が見られる。連結部３３０は、２つの貫通部３１０を連結し、ＬＥＤレンズ３００を一体に形成させる。
【００３９】
本実施形態で、ＬＥＤレンズ３００は、レシーバーＬＥＤレンズ兼用ブラケット２００と二重射出の成形方法で製作されるが、二重射出とは、他種の樹脂を使って、２つの射出装置と可動板に回転器具を設置した構造の射出機、またはコアやスライド構造を用いて二重射出可能に設計された金型で最初に成形した１次成型品と２次キャビティ（ｃａｖｉｔｙ）との空間に２次樹脂を充填して成形する。
【００４０】
従来、レシーバーＬＥＤレンズ兼用ブラケット２００とＬＥＤレンズ３００とをそれぞれ射出成形して結合させる方法を使ったが、本実施形態でのように、レシーバーＬＥＤレンズ兼用ブラケット２００とＬＥＤレンズ３００とを二重射出成形方法で一体に製作すれば、一回の工程でレシーバーＬＥＤレンズ兼用ブラケット２００とＬＥＤレンズ３００とが一体に生産されるので、工程が単純になり、工程損失（ｌｏｓｓ）が減少し、レシーバーＬＥＤレンズ兼用ブラケット２００のレンズ貫通口２３０が密封されて、レンズ貫通口２３０の防水効果がある。
【００４１】
前面ケース４００は、液晶表示部とキーパッドなどを収容するモバイル端末機１のケースを言い、メインＰＣＢ（Ｐｒｉｎｔｅｄ  Ｃｉｒｃｕｉｔ  Ｂｏａｒｄ）２０などの部品収容空間を挟んで、背面ケース４５０と結合して、モバイル端末機１の外観を形成する。本実施形態のレシーバー１００の構造と関連して、前面ケース４００は、レシーバーＬＥＤレンズ兼用ブラケット２００を収容することができるブラケット収容部４１０を備える。ブラケット収容部４１０の板面には、レシーバーデコ７００とＬＥＤレンズ３００の前面表示部３２０とが貫通して、前面に突出する前面貫通口４２０が形成される。前面貫通口４２０を通じてレシーバー１００からレシーバーデコ７００を通じてユーザに音信号が伝達され、また、前面貫通口４２０を通じるＬＥＤレンズ３００の前面表示部３２０からユーザがＬＥＤ１０の光が見られる。
【００４２】
防水部材５００は、レシーバーＬＥＤレンズ兼用ブラケット２００が前面ケース４００のブラケット収容部４１０に収容される隣接領域に設けられる。防水部材５００は、防水用シリコンをシーリングして設けられることが望ましく、レシーバーＬＥＤレンズ兼用ブラケット２００を前面ケース４００に固定すると同時に、前面貫通口４２０を通じてモバイル端末機１の内部に水や異物の侵透を防止する。
【００４３】
レシーバーデコ７００は、ユーザに直接音信号を伝達する通路であって、半円筒状のデコ部７１０と、デコ部７１０の両端部から平板状に延び、レシーバーＬＥＤレンズ兼用ブラケット２００のデコ収容部２２０に結合される羽根部７２０とを含む。
【００４４】
デコ部７１０の表面には、多数の小孔７１１が形成されていて、レシーバー１００から音信号が伝達されるようにする。羽根部７２０は、デコ収容部２２０に結合される部分であって、羽根部７２０に両面テープ（ｔａｐｅ）を付着して、デコ収容部２２０に結合させる。この際、羽根部７２０は、デコ収容部２２０の板面に形成されるレシーバー貫通口２４０の縁部に沿って結合され、したがって、レシーバーデコ７００は、レシーバー貫通口２４０よりも大きく設けられる。
【００４５】
このように、本発明のモバイル端末機１によれば、製作及び組み立てが容易であり、防水能に優れる効果がある。
【００４６】
一方、以下、添付図面を参照して、本発明の一実施形態によるモバイル端末機１の製造方法を説明する。
【００４７】
図１０は、本発明の一実施形態によるモバイル端末機の製造方法のフローチャートである。
【００４８】
図１０を参照して説明すれば、本発明の一実施形態によるモバイル端末機１の製造方法は、ブラケット収容部４１０を備える前面ケース４００を設ける段階（ステップＳ１００）と、レシーバー収容部２１０とデコ収容部２２０とを備えるレシーバーＬＥＤレンズ兼用ブラケット２００とＬＥＤ１０の光を透過させるＬＥＤレンズ３００とを共に二重射出成形方法で設ける段階（ステップＳ２００）と、レシーバー収容部２１０にフェルト６００を結合させる段階（ステップＳ３００）と、レシーバーＬＥＤレンズ兼用ブラケット２００のレシーバー収容部２１０にレシーバー１００を結合させる段階（ステップＳ４００）と、レシーバーＬＥＤレンズ兼用ブラケット２００のデコ収容部２２０にレシーバーデコ７００を結合させる段階（ステップＳ５００）と、レシーバーＬＥＤレンズ兼用ブラケット２００を前面ケース４００のブラケット収容部４１０に結合させる段階（ステップＳ６００）と、ブラケット収容部４１０のレシーバーＬＥＤレンズ兼用ブラケット２００が収容される隣接部位に防水部材５００をシーリングする段階（ステップＳ７００）とを含む。
【００４９】
レシーバーＬＥＤレンズ兼用ブラケット２００とＬＥＤレンズ３００とを二重射出成形で設ける段階（ステップＳ２００）で、二重射出工法によってレシーバーＬＥＤレンズ兼用ブラケット２００とＬＥＤレンズ３００とを共に射出成形して一体に設ける。従来、レシーバーＬＥＤレンズ兼用ブラケット２００とＬＥＤレンズ３００とを一般射出でそれぞれ成形して組み立てる方式を取ったが、二重射出成形方法で一回の工程で製造することによって、工程が単純化され、工程損失が減少する。また、一体に成形されることによって、レシーバーＬＥＤレンズ兼用ブラケット２００のレンズ貫通口２３０を通じる異物や水分の浸透を防止することができる。
【００５０】
レシーバー収容部２１０にフェルトを結合させる段階（ステップＳ３００）で、レシーバー収容部２１０のレシーバー貫通口２４０の縁部に接着剤を使ってフェルト６００を結合させる。フェルト６００は、防水能に優れる特殊材質のフェルト６００を使ってレシーバー貫通口２４０を通じる異物や水分の浸透を防止することができる。
【００５１】
レシーバーＬＥＤレンズ兼用ブラケット２００のレシーバー収容部２１０にレシーバー１００を結合させる段階（ステップＳ４００）で、フェルト６００とレシーバー１００との間に接着剤を使ってレシーバー１００をレシーバー収容部２１０に結合させる。
【００５２】
レシーバーＬＥＤレンズ兼用ブラケット２００のデコ収容部２２０にレシーバーデコ７００を結合させる段階（ステップＳ５００）で、デコ収容部２２０のレシーバー貫通口２４０の縁部に接着テープを使ってレシーバーデコ７００の羽根部７２０をデコ収容部２２０に結合させる。
【００５３】
このように、レシーバー１００とレシーバーデコ７００とをそれぞれレシーバーＬＥＤレンズ兼用ブラケット２００のレシーバー収容部２１０とデコ収容部２２０とに簡単に結合して組み立てることによって、組み立てを容易にし、後に取り替え、修理時にも作業が簡単になる。
【００５４】
レシーバーＬＥＤレンズ兼用ブラケット２００を前面ケース４００のブラケット収容部４１０に結合させる段階（ステップＳ６００）と、ブラケット収容部４１０のレシーバーＬＥＤレンズ兼用ブラケット２００が収容される隣接部位に防水部材５００をシーリングする段階（ステップＳ７００）で、前記のような他の構成品が組み立てられているレシーバーＬＥＤレンズ兼用ブラケット２００を前面ケース４００のブラケット収容部４１０に結合させた後、防水部材５００をレシーバーＬＥＤレンズ兼用ブラケット２００が収容される隣接部位にシーリングして、レシーバーＬＥＤレンズ兼用ブラケット２００を固定させ、前面ケース４００の前面貫通口４２０から異物や水がモバイル端末機１の内部への侵透を防止する。
【００５５】
本実施形態では、防水部材５００として防水用シリコンを使ったが、本発明の権利範囲が、これに制限される必要はなく、その他の材質の防水部材を使うこともできる。
【００５６】
このように、本発明のモバイル端末機１の製造方法によれば、工程を単純化して、工程効率を高め、工程損失を減少させ、組み立てと分解とが容易であって、製作と補修とに効率的であり、防水機能に優れたモバイル端末機１を製造することができる。
【００５７】
本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【００５８】
本発明は、携帯電話のような移動通信端末機、ＰＤＡなどのモバイル端末機に利用されうる。
【図１】
2013541879.tif 000003
【図２】
2013541879.tif 000004
【図３】
2013541879.tif 000005
【図４】
2013541879.tif 000006
【図５】
2013541879.tif 000007
【図６】
2013541879.tif 000008
【図７】
2013541879.tif 000009
【図８】
2013541879.tif 000010
【図９】
2013541879.tif 000011
【図１０】
2013541879.tif 000012
【国際調査報告】
2013541879.tif 000013
2013541879.tif 000014
2013541879.tif 000015
2013541879.tif 000016